(57)【要約】着用者の前胴を覆うフロント部（２０）と、着用者の後胴を覆うバック部（２１）と、着用者の股間を覆う股部（２２）とを備えた使い捨て着用物品（１）のフロント部とバック部とが搬送方向（Ｙ）に股部を介して離間した状態で中間品を搬送しながら加工する使い捨て着用物品の製造方法であって、搬送方向（Ｙ）に長手方向が設定された不織布ウエブ（Ｗ１）を搬送する工程と、液不透過性のバックシート（２７）となる連続ウエブ（Ｗ２）をバックシートの下流側（Ｙ１）の先端ライン（２７Ｆ）が下流側に向かって凸となるように、所定の長さに次々に切断する工程と、凸の先端ライン（２７Ｆ）が搬送方向（Ｙ）の下流側となるように、バックシート（２７）を不織布ウエブ（Ｗ１）の搬送方向（Ｙ）に間欠的に配置する工程とを備える。
2015115463.tif 000002
【特許請求の範囲】
【請求項１】
着用者の前胴を覆うフロント部と、着用者の後胴を覆うバック部と、着用者の股間を覆う股部とを備えた使い捨て着用物品の前記フロント部とバック部とが搬送方向に前記股部を介して離間した状態で中間品を搬送しながら加工する使い捨て着用物品の製造方法であって、  前記搬送方向に長手方向が設定された不織布ウエブを搬送する工程と、  液不透過性の複数のバックシートとなる連続ウエブを前記各バックシートの下流側の先端ラインが前記下流側に向かって凸となるように、所定の長さに次々に切断する工程と、  前記凸の先端ラインが前記搬送方向の下流側となるように、前記バックシートを前記不織布ウエブの前記搬送方向に間欠的に配置する工程とを備える。
【請求項２】
前記切断する工程において、前記各バックシートの上流側の後端ラインが上流側に向かって凹となるように、前記バックシートが生成される請求項１に記載の製造方法。
【請求項３】
前記切断する工程において、前記連続ウエブを切断する１本の切断ラインが、前記搬送方向に互いに隣り合う前記バックシートのうちの先行のバックシートの前記後端ラインと後続のバックシートの前記先端ラインとの双方を形成する請求項２に記載の製造方法。
【請求項４】
前記切断する工程において、前記各バックシートの搬送方向に直交する幅方向の全幅にわたって前記先端ラインが円弧状に形成されるように、前記連続ウエブが切断される請求項１，２もしくは３に記載の製造方法。
【請求項５】
前記切断する工程において、前記各バックシートの搬送方向に直交する幅方向の両端の角部が面取り形状となるように前記連続ウエブが切断される請求項１，２もしくは３に記載の製造方法。
【発明の詳細な説明】
【技術分野】
【０００１】  本発明は使い捨て着用物品の製造方法に関する。
【背景技術】
【０００２】  いわゆる縦流れの製造方法では、連続不織布ウエブの肌面側に、液不透過性のバックシートを間欠的に配置する場合がある（特許文献１）。
【先行技術文献】
【特許文献】
【０００３】
【特許文献１】ＪＰ２０１１−６２４６１Ａ（フロントページ）
【発明の概要】
【０００４】  このような製造方法の場合、バックシートの両側縁までの全幅に亘って接着剤を塗布すると、接着剤がバックシートからはみ出して、オムツの他の構成部品や製造装置に接着剤が付着してしまう。したがって、バックシートの幅方向の側縁には接着剤が塗布されない領域を設ける必要がある。
【０００５】しかし、上記のように両側縁に接着剤を塗布していない領域が存在すると、バックシートを不織布ウエブに積層する際、あるいは、バックシート上に他のシート又はウエブを積層する際に、バックシートの下流側の先端角部が搬送による風圧でまくれ、シワが発生するという問題を生じる。
【０００６】  本発明の目的は、バックシートのまくれによるシワの生じにくい使い捨て着用物品の製造方法を提供することである。
【０００７】本発明方法は、着用者の前胴を覆うフロント部と、着用者の後胴を覆うバック部と、着用者の股間を覆う股部とを備えた使い捨て着用物品の前記フロント部とバック部とが搬送方向に前記股部を介して離間した状態で中間品を搬送しながら加工する使い捨て着用物品の製造方法であって、  前記搬送方向に長手方向が設定された不織布ウエブを搬送する工程と、  液不透過性の複数のバックシートとなる連続ウエブを前記各バックシートの下流側の先端ラインが前記下流側に向かって凸となるように、所定の長さに次々に切断する工程と、前記凸の先端ラインが前記搬送方向の下流側となるように、前記バックシートを前記不織布ウエブの前記搬送方向に間欠的に配置する工程とを備える。
【０００８】本発明によれば、バックシートの搬送方向の下流端は、下流側に向かって凸となる先端ラインで形成されている。そのため、不織布ウエブに接合されたバックシートの搬送方向に直交する幅方向の両側縁に接着剤が塗布されていない場合でも、バックシートの先端側の両角部がまくれにくい。
【図面の簡単な説明】
【０００９】
【図１】図１Ａは本発明の製造方法により作成された着用物品の一例を示す展開した平面図、図１Ｂは同断面図である。
【図２】図２Ａおよび図２Ｂは同着用物品の製造方法を示す工程図である。
【図３】図３Ａ〜図３Ｃは、それぞれ、バックシートの形状の他の例を示す平面図である。
【００１０】  好ましくは、前記切断する工程において、前記バックシートの上流側の後端ラインが上流側に向かって凹となるように、前記バックシートが生成される。【００１１】  この場合、バックシートに生じる切れ端が小さくなるか、あるいは、切れ端が生じないので、材料の無駄が生じにくい。【００１２】  更に好ましくは、前記切断する工程において、前記連続ウエブを切断する１本の切断ラインが、前記搬送方向に互いに隣り合う前記バックシートのうちの先行のバックシートの前記後端ラインと後続のバックシートの前記先端ラインとの双方を形成する。【００１３】この場合、バックシートに切れ端が生じないので、材料に無駄が生じない上、当該切れ端の処理をする装置及び工程が不要になる。【００１４】好ましくは、前記切断する工程において、前記バックシートの搬送方向に直交する幅方向の全幅にわたって前記先端ラインが円弧状に形成されるように、前記連続ウエブが切断される。【００１５】この場合、円弧状の先端ラインの両角は、まくれにくいだろう。また、ダイカッタの刃先が一度に全幅にわたってアンビルロールに当接しないから、薄いバックシートでも切れ味が向上し、装置の稼働率が向上するだろう。【００１６】好ましくは、前記切断する工程において、前記バックシートの搬送方向に直交する幅方向の両端の角部が面取り形状となるように前記連続ウエブが切断される。面取り形状の角部は、まくれにくいだろう。なお、「面取り形状」とは、バックシートの先端側の角部が切り落とされたような形状を意味し、アール（小さな円弧）または直線状のテーパであってもよい。【００１７】  本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。  なお、本明細書中のカタカナ表記の一部には、その意味をより明瞭にするために英単語を（）で併記している。
【実施例】
【００１８】  以下、本発明の実施例１にかかる製造方法の説明に先立って、着用物品１の構造の一例が図面にしたがって説明される。【００１９】  図１Ａおよび図１Ｂに示すように、本実施例１の着用物品１は、吸収性本体２および外装不織布３を備えている。前記吸収性本体２は、フロント（ｆｒｏｎｔ）部２０、バック（ｂａｃｋ）部２１および股部２２を有している。フロント部２０は着用者の前胴（胴の前部）を覆い胴回り方向Ｘに延びる。バック部２１は着用者の後胴（胴の後部）を覆い胴回り方向Ｘに延びる。股部２２は前記フロント部２０とバック部２１との間の着用者の股間を覆う。【００２０】  前記股部２２はフロント部２０およびバック部２１に連なり、前記吸収性本体２は前記胴回り方向Ｘに直交する縦方向（長手方向）Ｙに長い。【００２１】  図１Ａにおいて、本着用物品は、前記股部２２が前記胴回り方向Ｘに平行な仮想のライン（ｌｉｎｅ）において２つに折られた状態で着用される。これにより、前記前胴回り部３Ｆと前記後胴回り部３Ｂの胴回り方向Ｘの端部同士が互いに重なる。【００２２】  図１Ｂに示すように、前記吸収性本体２には吸収コア（ｃｏｒｅ）２４が設けられている。この吸収コア２４は体液を吸収する。前記吸収コア２４は、トップシート（ｔｏｐ  ｓｈｅｅｔ）２６とバックシート（ｂａｃｋ  ｓｈｅｅｔ）２７との間で挟まれている。各シート２６，２７および吸収コア２４は互いに積層されている。バックシート２７の胴回り方向Ｘの幅はトップシート２６の胴回り方向Ｘの幅よりも大きくてもよい。図１Ａに示すように、トップシート２６は前胴回り部３Ｆの縦方向Ｙの側縁から後胴回り部３Ｂの縦方向Ｙの側縁まで延びている。【００２３】  図１Ｂにおいて、前記トップシート２６は透液性の薄い不織布からなり、吸収コア２４の肌面を覆う。このトップシート２６の上にはカフ（ｃｕｆｆ）２５が設けられていてもよい。  本発明において「肌面」とは、オムツの着用時に直接的または間接的に着用者の肌に接する内側の面を意味し、着用者の肌に直接的または間接的に対面する。【００２４】  前記バックシート２７は吸収コア２４の非肌面を覆い、液不透過性の樹脂シートからなる。前記バックシート２７の非肌面には通気性を有する外装不織布３が接着されて積層されている。図１Ａのように、前記バックシート２７の長手方向Ｙの一方の端部ライン２７Ｆは凸の曲線で定義され、他方の端部ライン２７Ｂは凹の曲線で定義されている。つまり、バックシート２７の一方の端部ライン２７Ｆは胴回り方向Ｘの中心において突出し、他方の端部ライン２７Ｂは胴回り方向Ｘの中心において窪んでいる。換言すれば、前記一方の端部ライン２７Ｆは前胴回り部３Ｆの長手方向Ｙの側縁に向かって凸の形状となっており、一方、前記他方の端部ライン２７Ｂは後胴回り部３Ｂの長手方向Ｙの側縁に対し凹の形状となっている。  本発明において「非肌面」とは、前記肌面とは反対側のオムツの着用時に着用者の肌に接しない外側の面を意味し、着用者の肌に対面しない。【００２５】  図１Ａにおいて、吸収性本体２は前胴回り部３Ｆと後胴回り部３Ｂとの間に配置されている。バックシート２７は前胴回り部３Ｆおよび後胴回り部３Ｂの一部に設けられていない。すなわち、外装不織布３に比べバックシート２７は長手方向Ｙに短く、これにより、前後の胴部における通気性が確保される。【００２６】  前記前後の胴回り部３Ｆ，３Ｂは、それぞれ、前記吸収性本体２から胴回り方向Ｘに突出する一対の前フラップ（ｆｌａｐ）Ｆおよび後フラップＦを形成し、前記各フラップＦは前後の胴回り部の一部を構成する。つまり、図１Ａに示すように、前記各フラップＦは、股部２２よりも胴回り方向Ｘに突出し、吸収性本体２（股部２２）よりも胴回り方向Ｘに延び出ている。【００２７】前後の胴回り部３Ｆ，３Ｂにはウエスト用やヒップ用の弾性部材が設けられていてもよい。前記弾性部材は、各胴回り部３Ｆ，３Ｂを着用者にフィット（ｆｉｔ）させるためのものである。この弾性部材としては、たとえば、複数本の糸ゴム（ｒｕｂｂｅｒ）や平ゴムまたは熱可塑性樹脂（ホットメルト）または発泡ウレタンを含む糸状又は帯状の材料を採用することができる。【００２８】  吸収性本体２には、着用者の脚部に沿って括れた脚回り部が形成されてもよい。前記脚回り部や、前記胴回り部３Ｆ，３Ｂの脚回り部に連なる部位には、着用者の脚回りに沿うように、たとえば、糸ゴムなどからなる別の弾性部材が設けられていてもよい。【００２９】  着用物品がオムツ（ｄｉａｐｅｒ）である場合、止着剤が塗布されたテープ（ｔａｐｅ）材４が胴回り部３Ｂに固着されていてもよく、この場合、前記止着剤が粘着し易い面を前記前胴回り部３Ｆの非肌面に形成する必要がある。なお、前記テープ材４に代えて、止着部材として前記後胴回り部３Ｂには、図示しない雄面ファスナ（ｆａｓｔｅｎｅｒ）が固着され、一方、前胴回り部３Ｆの非肌面には雌面ファスナが固着されていてもよい。  また、着用物品がパンツ（ｐａｎｔｓ）型である場合、前フラップＦと後フラップＦの胴回り方向Ｘの端部同士が溶着されていてもよい。【００３０】つぎに、本着用物品の製造方法が図２を用いて説明される。【００３１】図２Ａに示すように、搬送方向Ｙに長手方向Ｙが設定された不織布ウエブＷ１を搬送すると共に、液不透過性のバックシート２７となる連続ウエブＷ２を搬送する。前記連続ウエブＷ２を図示しないダイカッタを備えたカッタロールとアンビルロールとの間に導入し、前記バックシート２７の下流側の先端ライン２７Ｆが前記下流側Ｙ１に向かって凸となるように、所定の長さに次々に切断する。この切断により連続ウエブＷ２から個々のバックシート２７が生成される。切断の際、ダイカッタの刃がアンビルロールに部分的にかつ連続的に当接するので、バックシート２７の切れ味が向上する。すなわち、カッタロールとアンビルロールとの間に導入された前記連続ウエブＷ２が両ロールの回転により下流へ搬送されると共に、前記先端ライン２７Ｆの下流側の先端から円弧に沿って連続的に連続ウエブＷ２が切断される。【００３２】前記切断する工程において、前記先端ライン２７Ｆと前記後端ライン２７Ｂとが一致する状態で前記バックシート２７が生成される。したがって、前記バックシート２７の上流側の後端ライン２７Ｂは上流側Ｙ２に向かって凹となるように、各バックシート２７が生成される。すなわち、前記切断する工程において、搬送方向Ｙに互いに���り合うバックシート２７，２７のうちの先行のバックシート２７の後端ライン２７Ｂと後続のバックシート２７の先端ライン２７Ｆとが同時に形成される。【００３３】本実施例の場合、前記切断する工程において、前記バックシート２７の搬送方向Ｙに直交する幅方向Ｘの全幅にわたって前記先端ライン２７Ｆが円弧状に形成されるように、前記連続ウエブＷ２が切断される。切断後、個々の前記バックシート２７は前記連続ウエブＷ２から搬送方向Ｙに離間される。【００３４】前記凸の先端ライン２７Ｆが前記搬送方向Ｙの下流側Ｙ１となるように、前記バックシート２７が前記不織布ウエブＷ１の搬送方向Ｙに間欠的に配置される。すなわち、前記バックシート２７の前記搬送方向Ｙの側縁と前記不織布ウエブＷ１の前記搬送方向Ｙの側縁とが平行となるように前記バックシート２７が配置される。この配置に先立って、前記バックシート２７、連続ウエブＷ２又は不織布ウエブＷ１には、網点で示す接着領域Ｃに接着剤が塗布される。したがって、前記配置により、バックシート２７は不織布ウエブＷ１に接合されて、積層された中間品が生成される。【００３５】ここで、接着領域Ｃの幅Ｗｃはバックシート２７の幅Ｗ２７よりも小さく、下流側Ｙ１に沿った両側縁２７Ｅには接着剤が塗布されておらず、当該両側縁２７Ｅは不織布ウエブＷ１に固着されていない。しかし、前記バックシート２７の下流側Ｙ１の先端ライン２７Ｆが凸に形成されている。そのため、前記両側縁２７Ｅが搬送による風圧で、まくれるのを抑制し得る。【００３６】  前記バックシート２７の配置後、各バックシート２７の上に吸収性コア２４を配置すると共に、吸収性コア２４をバックシート２７に接合してもよい。【００３７】  その後、図２Ｂの一対のテープ材４を不織布ウエブＷ１に接合し、更に、前記吸収性コア２４およびバックシート２７を覆うように、トップシート２６となる透液性の連続ウエブＷ３を積層する。【００３８】  その後、前記カフ２５となる一対のカフ用連続ウエブＷ４を積層して連続積層体（中間品）Ｌが生成される。前記一対のカフ用連続ウエブＷ４の前記幅方向Ｘの間において前記連続ウエブＷ３が露出している。この積層後、不織布ウエブＷ１の一部を切り欠いて、レッグホールとなる部位が形成されてもよい。【００３９】その後、前記連続積層体Ｌから個々の着用物品１を得るために、搬送方向Ｙに直交する幅方向Ｘに延びる仮想のラインに沿って、連続積層体Ｌを切断する。なお、前記連続積層体Ｌは互いに隣り合う吸収性本体２，２の間において切断される。こうして、図１Ａの着用物品１が得られる。【００４０】つぎに、前記バックシート２７の他の例について説明する。図３Ａ〜図３Ｃに示すように、前記切断する工程において、前記バックシート２７の搬送方向Ｙに直交する幅方向Ｘの両端の角部２７Ｃが面取り形状となるように前記連続ウエブＷ２（図２Ａ）が切断されてもよい。【００４１】前記面取り形状は直線状の先端ライン２７Ｆの前記幅方向Ｘの両端の角部２７Ｃが、図３Ａのように、直線状に斜めにカットされてもよいし、図３Ｂのように小さなアール状に丸くカットされてもよい。更に、図３Ｃのように、前記面取り形状は曲線状の先端ライン２７Ｆの前記幅方向���の両端の角部２７Ｃが、小さなアール状に丸くカットされてもよい。【００４２】  以上のとおり、図面を参照しながら好適な実施例を説明したが、当業者であれば本明細書を見て、自明な範囲で種々の変更および修正を容易に想定するであろう。たとえば、先端ライン２７Ｆと後端ライン２７Ｂの形状を一致させる必要はなく、後端ライン２７Ｂは幅方向Ｘに延びる直線で定義されてもよいし、上流に向かって凸の曲線で定義されてもよい。また、トップシートとなるウエブは間欠的に積層されてもよい。  したがって、そのような変更および修正は、請求の範囲から定まる本発明の範囲内のものと解釈される。
【産業上の利用可能性】
【００４３】  本発明はオムツ型およびパンツ型の使い捨て着用物品製造方法に適用し得る。
【符号の説明】
【００４４】  １：着用物品                    ２：吸収性本体  ２０：フロント部  ２１：バック部  ２２：股部  ２４：吸収性コア  ２５：カフ  ２６：トップシート  ２７：バックシート２７Ｃ：角部  ２７Ｅ：側縁  ２７Ｆ：先端ライン  ２７Ｂ：後端ライン３：外装不織布  ３Ｆ，３Ｂ：胴回り部４：テープ材（止着部材）Ｃ：接着剤  Ｆ：フラップ  Ｌ：連続積層体Ｘ：胴回り方向（幅方向）  Ｙ：長手方向（搬送方向）  Ｙ１：下流側  Ｙ２：上流側Ｗ１：不織布ウエブ  Ｗ２：連続ウエブ  Ｗ３：透過性の連続ウエブ  Ｗ４：カフ用連続ウエブ 
【図１】
2015115463.tif 000003
【図２】
2015115463.tif 000004
【図３】
2015115463.tif 000005
【国際調査報告】
2015115463.tif 000006
2015115463.tif 000007
2015115463.tif 000008
2015115463.tif 000009